(57)【要約】【課題】  車載用電子機器において、時刻などの時間情報を表示している場合に、容易に表示／非表示を切り換える。【解決手段】  タッチパネルディスプレイを有し、動作モードとして通常動作モードと時間情報を表示する時間情報表示モードとを有する車載用電子機器において、時間情報表示モード中に前記タッチパネルディスプレイの操作面の任意部分に対して所定の操作がなされたか否かを判別し、所定の操作がなされる毎に、タッチパネルディスプレイに時間情報表示を行う時間情報表示状態と、時間情報表示を禁止する時間情報非表示状態と、の間で状態遷移させる。【選択図】      図５
2006184100.tif 000002
【特許請求の範囲】
【請求項１】
タッチパネルディスプレイの表示制御を行う表示制御装置において、
外部より入力された時間情報に基づいて前記タッチパネルディスプレイに時間情報表示を行う時間情報表示部と、
所定の時間情報表示モード中に前記タッチパネルディスプレイの操作面の任意部分に対して所定の操作がなされたか否かを判別する操作検出部と、
前記所定の操作がなされる毎に、前記時間情報表示部により時間情報表示を行わせる時間情報表示状態と、前記時間情報表示部による時間情報表示を禁止する時間情報非表示状態と、の間で状態遷移させる表示制御部と、
を備えたことを特徴とする表示制御装置。
【請求項２】
請求項１記載の表示制御装置において、
前記所定の操作は、前記操作面を短押しする操作であることを特徴とする表示制御装置。
【請求項３】
請求項１または請求項２記載の表示制御装置において、
前記時間情報は、時刻、曜日、月および日のうち、少なくとも時刻を含むことを特徴とする表示制御装置。
【請求項４】
タッチパネルディスプレイを有し、動作モードとして通常動作モードと時間情報を表示する時間情報表示モードとを有する車載用電子機器において、
前記時間情報に基づいて前記タッチパネルディスプレイに時間情報表示を行う時間情報表示部と、
前記時間情報表示モード中に前記タッチパネルディスプレイの操作面の任意部分に対して所定の操作がなされたか否かを判別する操作検出部と、
前記所定の操作がなされる毎に、前記時間情報表示部により時間情報表示を行わせる時間情報表示状態と、前記時間情報表示部による時間情報表示を禁止する時間情報非表示状態と、の間で状態遷移させる表示制御部と、
を備えたことを特徴とする車載用電子機器。
【請求項５】
請求項４記載の表示制御装置において、
前記所定の操作は、前記操作面を短押しする操作であることを特徴とする表示制御装置。
【請求項６】
タッチパネルディスプレイを有し、動作モードとして通常動作モードと時間情報を表示する時間情報表示モードとを有する車載用電子機器をコンピュータにより制御するための制御プログラムにおいて、
前記時間情報表示モード中に前記タッチパネルディスプレイの操作面の任意部分に対して所定の操作がなされたか否かを判別させ、
前記所定の操作がなされる毎に、前記時間情報表示部により時間情報表示を行わせる時間情報表示状態と、前記時間情報表示部による時間情報表示を禁止する時間情報非表示状態と、の間で状態遷移させる、
ことを特徴とする制御プログラム。
【請求項７】
請求項６記載の制御プログラムを記録したことを特徴とするコンピュータ読取可能な記録媒体。
【発明の詳細な説明】
【技術分野】
【０００１】
本発明は、表示制御装置、車載用電子機器、表示制御方法、制御プログラム及び記録媒体に係り、特に時刻などの時間情報を表示装置に表示させるための表示制御装置、表示装置を備えた車載用電子機器、それらの表示制御方法、制御プログラム及び記録媒体に関する。
【背景技術】
【０００２】
従来より、タッチパネルディスプレイを備えた車載用電子機器が知られている（例えば、特許文献１参照）。
このような車載用電子機器として、カーナビゲーション装置やオーディオ装置などが挙げられるが、これらの装置においては、本来のカーナビゲーション機能やオーディオ再生などを行わない場合に、タッチパネルディスプレイに時刻などの時間情報表示を行うようにしたものがある。
【特許文献１】特開２００３−３１２３７２号公報
【発明の開示】
【発明が解決しようとする課題】
【０００３】
上記従来の車載用電子機器においては、時刻などの時間情報の表示／非表示を切り換えられるようにしたものも知られている。
このような車載用電子機器においてタッチパネルディスプレイにおける時間情報の表示／非表示を切り換える場合には、設定メニューを表示させ、設定メニューにおける階層で時間情報の表示／非表示設定処理を選択し、当該設定処理において表示あるいは非表示に設定することとなっていた。
ところで、夜間などにおいて、タッチパネルディスプレイ上に時間情報を表示していると、背景画面も照明がなされ、眩しすぎる場合がある。
【０００４】
このような場合には、ドライバは、時間情報を表示しないように設定したいと思うこととなるが、上述したようにそのような設定にすることは、手間が煩雑であり、特に運転中などにそのような操作を行うことは安全面から問題となる。
そこで、本発明の目的は、車載用電子機器において、時刻などの時間情報を表示している場合に、容易に表示／非表示を切り換えることが可能な表示制御装置、車載用電子機器、表示制御方法、制御プログラム及び記録媒体を提供することにある。
【課題を解決するための手段】
【０００５】
上記課題を解決するため、タッチパネルディスプレイの表示制御を行う表示制御装置において、外部より入力された時間情報に基づいて前記タッチパネルディスプレイに時間情報表示を行う時間情報表示部と、所定の時間情報表示モード中に前記タッチパネルディスプレイの操作面の任意部分に対して所定の操作がなされたか否かを判別する操作検出部と、
前記所定の操作がなされる毎に、前記時間情報表示部により時間情報表示を行わせる時間情報表示状態と、前記時間情報表示部による時間情報表示を禁止する時間情報非表示状態と、の間で状態遷移させる表示制御部と、を備えたことを特徴としている。
【０００６】
上記構成によれば、操作検出部は、所定の時間情報表示モード中に前記タッチパネルディスプレイの操作面の任意部分に対して所定の操作がなされたか否かを判別する。
これにより表示制御部は、所定の操作がなされる毎に、時間情報表示部により時間情報表示を行わせる時間情報表示状態と、時間情報表示部による時間情報表示を禁止する時間情報非表示状態と、の間で状態遷移させる。
【０００７】
この場合において、前記所定の操作は、前記操作面を短押しする操作であるようにしても良い。
また、前記時間情報は、時刻、曜日、月および日のうち、少なくとも時刻を含むようにしてもよい。
【０００８】
また、タッチパネルディスプレイを有し、動作モードとして通常動作モードと時間情報を表示する時間情報表示モードとを有する車載用電子機器において、前記時間情報に基づいて前記タッチパネルディスプレイに時間情報表示を行う時間情報表示部と、前記時間情報表示モード中に前記タッチパネルディスプレイの操作面の任意部分に対して所定の操作がなされたか否かを判別する操作検出部と、前記所定の操作がなされる毎に、前記時間情報表示部により時間情報表示を行わせる時間情報表示状態と、前記時間情報表示部による時間情報表示を禁止する時間情報非表示状態と、の間で状態遷移させる表示制御部と、を備えたことを特徴としている。
【０００９】
上記構成によれば、操作検出部は、時間情報表示モード中にタッチパネルディスプレイの操作面の任意部分に対して所定の操作がなされたか否かを判別する。
表示制御部は、所定の操作がなされる毎に、時間情報表示部により時間情報表示を行わせる時間情報表示状態と、時間情報表示部による時間情報表示を禁止する時間情報非表示状態と、の間で状態遷移させる。
【００１０】
この場合において、前記所定の操作は、前記操作面を短押しする操作であるようにしてもよい。
また、タッチパネルディスプレイを有し、動作モードとして通常動作モードと時間情報を表示する時間情報表示モードとを有する車載用電子機器をコンピュータにより制御するための制御プログラムにおいて、前記時間情報表示モード中に前記タッチパネルディスプレイの操作面の任意部分に対して所定の操作がなされたか否かを判別させ、前記所定の操作がなされる毎に、前記時間情報表示部により時間情報表示を行わせる時間情報表示状態と、前記時間情報表示部による時間情報表示を禁止する時間情報非表示状態と、の間で状態遷移させる、ことを特徴としている。
また、上記制御プログラムをコンピュータ読取可能な記録媒体に記録することも可能である。
【発明の効果】
【００１１】
本発明によれば、時刻などの時間情報を表示している場合に、簡易な操作で、容易に時間情報の表示／非表示を切り換えることができる。
【発明を実施するための最良の形態】
【００１２】
次に図面を参照して本発明の好適な実施の形態について説明する。
図１は、本実施の形態に係る車載機器の一態様たるカーオーディオ装置の正面図である。図２は、カーオーディオ装置の装置本体の正面図である。
【００１３】
図１に示すように、カーオーディオ装置１の正面（フロント部分）には、着脱可能コントロールパネル３が装置本体２に対して着脱自在に取り付けられている。
着脱可能コントロールパネル（以下、ＤＣＰ：Detachable Control Panel）３は、カーオーディオ装置１の表示部および操作部として機能するものであり、ＤＣＰケース４と、液晶パネル５と、当該液晶パネル５上に設けられたタッチパネル６と、液晶パネル５の左右両側に配設された複数の操作キー７とを有している。液晶パネル５の上下縁部には上フレーム８Ａおよび下フレーム８Ｂが設けられ、これら上フレーム８Ａおよび下フレーム８Ｂにより液晶パネル５が挟持される。また下フレーム８Ｂには液晶パネル５との隣接部分に沿ってほぼ等間隔に凹部９が４箇所形成されている。これら凹部９は、タッチパネル６上の操作箇所を案内するものである。すなわち、図１に示すように、液晶パネル５には、これら４箇所の凹部９に対応して４つの操作ボタンアイコン１０が表示され、ユーザが下フレーム８Ｂ上で指を摺動させれば、液晶パネル５に表示された操作ボタン１０の位置を凹部９の位置から察することができるようになっている。したがって、ユーザは液晶パネル５を見なくとも、タッチパネル６の操作を容易に行うことができる。
【００１４】
さらに、図１に示すように、液晶パネル５の左右両縁のそれぞれには、上下に延びるガイド片１１が設けられている。これらのガイド片１１は、上記下フレーム８Ｂの凹部９と同様に、タッチパネル６上の操作箇所を案内するものである。具体的には、図１に示すように、液晶パネル５の左右両縁付近には、液晶画面５に表示されている表示項目を順次変更するためのスクロール操作アイコン１２が表示されており、ユーザはガイド片１１を頼りにスクロール操作アイコン１２を操作することができる。すなわち、ユーザがガイド片１１に沿ってタッチパネル６上を指で摺摩することで、スクロール操作アイコン１２が操作され、表示項目が順次変更される。
【００１５】
ＤＣＰ３が複数の操作キー７を備えることは上述の通りであるが、これらの操作キー７として、電源・ボリュームキー７Ａ、ソースボタン７Ｂ、オープン・イジェクトボタン７Ｃ、アジャストボタン７Ｄ、モードボタン７Ｅ、サウンドボタン７Ｆ、および、ＩＳＲボタン７Ｇが設けられている。電源・ボリュームキー７Ａはロータリーキースイッチとして構成され押下操作によって電源がオン・オフし、また、回転操作によってボリューム（音量）が調整される。ソースボタン７Ｂは音源ソースを切り換えるための押下式ボタンであり、押下の度に、再生する音源ソースが切り換えられる。音源ソースとしては、装置本体１に内蔵されたラジオ音源やＣＤ（Compact Disc）音源、装置本体２に通信可能に接続されたＣＤチェンジャーやＤＶＤ（Digital Versatile Disk）チェンジャー、および、外部音声入力端子から入力される外部音声などが用いられている。
【００１６】
オープン・イジェクトボタン７Ｃは、ＤＣＰ３の背面に位置する各種操作部を操作可能な状態とするために、ＤＣＰ３を開状態とするための押下式ボタンである。ＤＣＰ３が閉状態においてオープン・イジェクトボタン７Ｃが押下されると、ＤＣＰ３が図示せぬリンク機構により装置本体１から押し出されるように傾倒して開状態となり、装置本体２の正面（フロント部分）が露出する。図２に示すように、装置本体２の正面にはＣＤの挿入口２０が設けられており、ＤＣＰ３を開状態とすることで装置本体２へのＣＤの挿脱が可能となる。また、ＤＣＰ３が開いた状態で上記オープン・イジェクトボタン７Ｃを操作した場合には、挿入口２０からのＣＤの排出動作が行われる。このＤＣＰ３が開状態となった場合、所定時間経過後に、図示せぬリンク機構が作動して、自動で閉状態となる。
【００１７】
アジャストボタン７Ｄは装置本体２の各種の設定や調整をするときに使用される操作ボタンである。モードボタン７Ｅは例えばＣＤ再生時の再生モードを設定するための押下式ボタンであり、押下の度に、リピート再生やランダム再生といった再生モードが切り替わり設定される。また、当該モードボタン７Ｅが長押操作された場合には、液晶パネル５の表示が標準表示とデザインを省略して視認性を向上させたシンプル表示との間で表示が切り換えられる。サウンドボタン７Ｆは音響に関する各種の設定や調整をするときに使用される操作ボタンである。ＩＳＲボタン７Ｇは現在の音源ソースの選択状態にかかわらず、特定のラジオチャンネルを受信してラジオ音声を出力させるための操作ボタンである。
【００１８】
また、ＤＣＰ３の正面には、車室内の明るさを感知するフォトセンサの受光窓１３と、リモートコントローラからの信号を受光するための受光窓１４とが設けられている。本カーオーディオ装置１にあっては、上記フォトセンサで感知した車室内の明るさに応じて液晶パネル５のバックライトの輝度が調整されるようになっている（いわゆる、オートディマー機能）。
【００１９】
図３は、着脱可能コントロールパネルの背面図である。
このＤＣＰ３は、上記のように、装置本体２から取り外し可能になっており、その構造について説明すると、図３に示すように、ＤＣＰ３の背面には、２つの係合突起３０Ａ、３０Ｂと１つの係合受け３１とが形成されると共にコネクタ接点３２が形成され、また、図２に示すように、装置本体２の正面には、上記ＤＣＰ３を取り付けるための支持プレート２１が設けられ、この支持プレート２１上に２つの係合受け２２Ａ、２２Ｂと、１つの係合突起２３と、コネクタ接点２４とが形成されている。この構成の下、ＤＣＰ３の背面の係合受け３１を装置本体２の支持プレート２１上の係合突起２３に押し込んで、ＤＣＰ３の一端側を装置本体２に係合させた後、ＤＣＰ３の背面の係合突起３０Ａ、３０Ｂ及びコネクタ接点３２をそれぞれ装置本体２の係合受け２２Ａ、２２Ｂ及びコネクタ接点２４に押し込んで係合させることで、ＤＣＰ３が装置本体２の正面に取り外し自在に取り付けられる。
【００２０】
ＤＣＰ３が装置本体２に取り付けられた状態にあっては、上記コネクタ接点３２および２４を介してＤＣＰ３と装置本体２との間で信号の送受が可能となり、これらＤＣＰ３と装置本体２との間で操作キー７の操作に応じた操作信号や、液晶パネル５へ各種情報を表示するための信号等が送受される。
【００２１】
次いで、本カーオーディオ装置１の機能的構成について図４を参照して詳述する。
図４はカーオーディオ装置１の装置本体２およびＤＣＰ３の機能的構成を示すブロック図である。
図４に示すように、カーオーディオ装置１の装置本体２は、マスターマイコン１００と、ラジオ受信部１１０と、ＣＤ再生部１２０と、音声出力部１３０とを備えている。
【００２２】
マスターマイコン１００は、装置本体２の各部およびＤＣＰ３の制御を実行するものであり、ＥＥＰＲＯＭやＲＡＭ等の記憶手段が内蔵され、当該ＥＥＰＲＯＭには、制御用プログラムやメニュー画面などの各種表示用データが格納されている。なお、図示を省略しているが、マスターマイコン１００には、車両のバッテリに直結されたバックアップ電源と、キースイッチを介してバッテリに接続されたＡＣＣ電源とが供給されている。したがって、ＡＣＣ電源がオフの間は、バックアップ電源がマスターマイコン１００に供給され、ＲＡＭなどに格納したデータが保持される。
【００２３】
ラジオ受信部１１０は、ＡＭ／ＦＭ波のラジオ放送を受信するものであり、アンテナ１１１と、チューナ回路１１２とを備え、チューナ回路１１２がマスターマイコン１００の指示に基づいて所定チャンネルのラジオ放送を受信し、音声信号を音声出力部１３０に出力する。ＣＤ再生部１２０は、マスターマイコン１００の制御の下、ＣＤに記録されている音楽データを読み取り、音声信号を音声出力部１３０に出力するＣＤ読取部１２１を備えている。
【００２４】
音声出力部１３０は、マスターマイコン１００の制御の下、ラジオ受信部１１０及びＣＤ再生部１２０の各々からの音声信号に基づいて音声を出力するものであり、ＤＳＰ（Digital Signal Processor）１３１と、音量を調整する電子ボリューム回路１３２とを備えている。ＤＳＰ１３１は、マスターマイコン１００の制御の下、音声信号に対して、例えばフィルタ処理やイコライザ処理、音声信号が符号化されている場合にはデコード処理といったデジタル音声信号処理を施して電子ボリューム回路１３２に出力するものであり、電子ボリューム回路１２１は、マスターマイコン１００の制御の下、再生音量を調整すべく、音声信号をＤ／Ａ変換した後に信号の振幅レベルを調整して出力するものである。また、ＤＳＰ１３１には、上記ラジオ受信部１１０及びＣＤ再生部１２０のほかにも、例えば図示せぬカーナビゲーション装置といった外部機器からの外部音声信号が入力可能に構成されている。
【００２５】
ここで、本カーオーディオ装置１には、例えば２線の同軸ケーブルからなるＲＣＡコネクタを介して外部アンプユニット１６０が接続されており、上記電子ボリューム回路１３２から出力された音声信号がＲＣＡコネクタを介して外部アンプユニット１６０に入力される。外部アンプユニット１６０は複数のスピーカＳＰが接続可能に構成されており、接続可能なスピーカＳＰの最大数（本実施の形態では６）だけのアンプ回路（図示せず）を備え、電子ボリューム回路１３２から入力された音声信号を増幅して、現在接続されている各スピーカＳＰに出力する。なお、アンプ回路やスピーカを装置本体２にも内蔵し、外部アンプユニット１６０を介さずに音声を出力可能に構成しても良い。
【００２６】
ＤＣＰ３は、上記のように、タッチパネルディスプレイを構成する液晶パネル５およびタッチパネル６と、操作キー７とを備えている。さらに、ＤＣＰ３は、ＤＣＰ３の各部を制御する表示マイコン１５１と、当該表示マイコン１５１の指示に基づいて液晶パネル５に各種情報表示を行うＬＣＤドライバ１５２とを有している。ＤＣＰ３が装置本体２に装着された場合には、ＤＣＰ３の表示マイコン１５１と装置本体２のマスターマイコン１００とが上記コネクタ接点２４、３２により電気的に接続され、各種信号の授受を行う。例えば操作キー７の一つである電源・ボリュームキー７Ａ（図１参照）が回転操作され、ユーザによりボリューム調整が行われた場合には、かかる回転操作量が図示せぬエンコーダにより検出され、表示マイコン１５１からマスターマイコン１００に送信される。この結果、マスターマイコン１００は、再生音量が電源・ボリュームキー７Ａの回転操作量に応じたボリュームとなるように電子ボリューム回路１３２を制御することとなる。
【００２７】
タッチパネル６には抵抗膜方式のタッチパネルが用いられ、その表面に手などが触れた場合、その接触点の位置座標に応じた電圧の信号が表示マイコン１５１に出力され、かかる信号に基づいて表示マイコン１５１によって接触点座標が特定される。これにより、液晶パネル５に表示されているどの操作ボタンが操作されたかが特定され、その操作に応じた動作が実行される。
【００２８】
次に実施形態の主要動作について説明する。
図５は実施形態の処理フローチャートである。
この場合において、マスターマイコン１００は、図示しないアクセサリ（ＡＣＣ）電源が供給されている限り、ラジオ受信部１１０、ＣＤ再生部１２０および音声出力部１３０が動作状態であるか否かに拘わらず、表示マイコン１５１を介してタッチパネル６の操作の有無を常時監視している。
【００２９】
まず、マスターマイコン１００は、表示マイコン１５１を介してタッチパネル６の操作面の任意の部分において所定の操作である短押し操作（いわゆる、タッチ操作）がなされた場合に、オーディオ装置の電源がオフであるか否かを判別する（ステップＳ１）。すなわち、オーディオ装置であるラジオ受信部１１０、ＣＤ再生部１２０および音声出力部１３０が非動作状態であるか否かを判別する。
ステップＳ１の判別において、オーディオ装置の電源がオンである通常動作モード中の場合には（ステップＳ１；Ｎｏ）、タッチパネル６の操作面における押下操作がなされた位置を特定し、現在のオーディオ装置の動作状態および当該押下操作位置に割り当てられた処理を判別してラジオ受信部１１０、ＣＤ再生部１２０あるいは音声出力部１３０を制御することとなる（ステップＳ５）。具体的には、押下操作位置に応じて、再生操作、停止操作、早送り操作、巻き戻し操作、イジェクト操作、受信局切換操作、受信バンド切換操作、音量調整操作、音質調整操作などの制御がなされることとなる。
【００３０】
ステップＳ１の判別において、オーディオ装置の電源がオフである非通常動作モード、すなわち、時計表示モード中の場合には（ステップＳ１；Ｎｏ）、マスターマイコン１００は、表示マイコンに問い合わせを行うことにより、液晶パネル５に時計表示を行っているか否かを判別する（ステップＳ２）。
図６は、時計表示モードにおける液晶パネルの表示状態遷移の説明図である。
ステップＳ２の判別において、図６上部に示すように、時計表示モード中であって、液晶パネル５に時計表示を行っている状態（時間情報表示状態）には（ステップＳ２；Ｙｅｓ）、液晶パネル５のバックライト（Ｂ／Ｌ）を消灯するとともに時計表示を消灯し、図６下部に示すように、液晶パネル５には何も表示しない状態として処理を終了する。
【００３１】
ステップＳ２の判別において、図６下部に示すように、時計表示モード中であって、時計表示を消灯して、液晶パネル５には何も表示されていない状態（時間情報非表示状態）には（ステップＳ２；Ｎｏ）、時計表示を点灯するとともに、バックライト（Ｂ／Ｌ）を点灯し、図６上部に示すような状態として処理を終了する。
すなわち、本実施形態によれば、タッチパネル６における短押し等の簡単な操作で、時計表示／時計非表示を切り換えることができるので、例えば、夜間の高速走行などにおいて、液晶パネルのバックライト（Ｂ／Ｌ）が点灯し、まぶしすぎるような場合であっても、容易に時計非表示状態に移行させることができ、使い勝手の向上が図れる。
【００３２】
また、時計表示が必要なときだけ、タッチパネル６に短押し等の簡単な操作で時計表示を行わせ、確認後に表示を消すといった使い方が可能となる。
以上の説明のように、本実施形態によれば、時計表示モード（時間情報表示モード）中にタッチパネルディスプレイを構成するタッチパネル６の操作面の任意部分に対して所定の操作（短押し）がなされる毎に、液晶パネル５に時間情報表示を行わせる時間情報表示状態と、液晶パネル５への時間情報表示を禁止する時間情報非表示状態と、の間で状態遷移させることができ、簡単な操作で、直接的に時間情報の表示／非表示をユーザが容易に設定でき、運転中であってもドライバが安全に設定を行える。
【００３３】
以上の説明においては、時計表示モード時には、時刻のみが表示されていたが、時刻に曜日、月、日などを加えた時間情報を表示し、同様の操作により非表示状態とすることが可能である。
【００３４】
以上の説明では、タッチパネル６を短押しした場合に、時計表示の表示／非表示を切り換える（第１の態様）ものであったが、時計表示モードにおいて時計表示の非表示状態を基本状態とし、タッチパネル６を短押しした場合にのみ表示状態に移行し、所定時間経過後に再び基本状態である時計表示の非表示状態に移行する構成（第２の態様）とすることも可能である。
【００３５】
さらに、予め設定した時間帯に応じて第１の態様と第２の態様とを自動的に切り換えることも可能である。具体的には、昼間は、第１の態様で動作し、夜間は第２の態様で動作するようにすればよい。
さらにまた、通常は第１の態様で動作し、時計表示モードでタッチパネル６において所定の操作（例えば、２秒程度の長押し等）を行った場合に、第２の態様で動作するように構成することも可能である。
【図面の簡単な説明】
【００３６】
【図１】本実施の形態に係る車載機器の一態様たるカーオーディオ装置の正面図である。
【図２】カーオーディオ装置の装置本体の正面図である。
【図３】着脱可能コントロールパネル（ＤＣＰ）の背面図である。
【図４】カーオーディオ装置の装置本体およびＤＣＰの機能的構成を示すブロック図である。
【図５】実施形態の処理フローチャートである。
【図６】時計表示モードにおける液晶パネルの表示状態遷移の説明図である。
【符号の説明】
【００３７】
１…カーオーディオ装置、２…装置本体、３…着脱可能コントロールパネル（ＤＣＰ）、５…液晶パネル（タッチパネルディスプレイ）、６…タッチパネル（タッチパネルディスプレイ）、７…操作キー、１００…マスターマイコン（表示制御部）、１１０…ラジオ受信部、１２０…ＣＤ再生部、１３０…音声出力部、１５１…表示マイコン（表示制御部、時間情報表示部）、１５２…ＬＣＤドライバ（時間情報表示部）。
【図１】
2006184100.tif 000003
【図２】
2006184100.tif 000004
【図３】
2006184100.tif 000005
【図４】
2006184100.tif 000006
【図５】
2006184100.tif 000007
【図６】
2006184100.tif 000008